(57)【要約】【課題】パソコンを使わないユーザが、デジタルＴＶのみでルーター機器を設定する場合、リモコンインターフェースを使って、ルーター機器の設定画面にアクセスするための煩雑な手順は大きな障害である。具体的には、設定の対象とするルータ機器のＩＰアドレスを調べる手順、および、ＩＰアドレスをＵＲＬとしてリモコン入力する手順が煩雑であるという問題があった。【解決手段】デジタルＴＶのソフトウェアに、設定の対象となるルーター機器のＩＰアドレスをＤＨＣＰプロトコルの通信シーケンスから自動取得し、ＩＰアドレスをＵＲＬに自動変換し、デジタルＴＶに搭載したＷｅｂブラウザに設定する。このＵＲＬの設定画面にアクセスすることにより、リモコンの特定のボタンを１回押すだけで、ルーター機器の設定画面を表示することが可能となる。【選択図】図１
2005130334.tif 000002
【特許請求の範囲】
【請求項１】
通信プロトコルによる通信手段と情報入力手段と情報表示手段と各ネットワーク機器を一意に特定するためのアドレス情報を備えたネットワーク機器Ａと、通信プロトコルを介してアクセス可能な機器設定インターフェースとアドレス情報を備えたネットワーク機器Ｂにおいて、前記ネットワーク機器Ａは、前記ネットワーク機器Ｂとの通信によって取得した前記ネットワーク機器Ｂの前記アドレス情報を保持し、ユーザが、前記情報入力手段によって、前記ネットワーク機器Ｂの前記機器設定インターフェースにアクセスする命令を入力した場合に、前記通信手段は、保持している前記ネットワーク機器Ｂの前記アドレス情報を読み出し、前記ネットワーク機器Ｂの前記機器設定インターフェースにアクセスすることにより、ユーザは１回の操作で前記ネットワーク機器Ｂの機器設定インターフェースを表示することを特徴とするネットワーク機器の設定方法。
【請求項２】
ネットワーク機器Ａとネットワーク機器Ｂは、ＴＣＰ／ＩＰ通信プロトコルによる通信手段を備え、前記ネットワーク機器Ａは、各ネットワーク機器を一意に特定するためのアドレス情報であるＩＰアドレスを、前記ネットワーク機器ＢよりＤＨＣＰ通信プロトコルを介して取得した際に、前記ネットワーク機器ＢのＩＰアドレスを保持し、ユーザが、情報入力手段によって、前記ネットワーク機器Ｂの機器設定インターフェースにアクセスする命令を入力した場合に、保持していた前記ネットワーク機器ＢのＩＰアドレスを読み出し、前記ネットワーク機器Ｂの前記機器設定インターフェースにアクセスすることにより、ユーザは１回の操作で前記ネットワーク機器Ｂの機器設定インターフェースを表示することを特徴とする請求項１記載のネットワーク機器の設定方法。
【請求項３】
ネットワーク機器Ａとネットワーク機器Ｂは、ＴＣＰ／ＩＰ通信プロトコルによる通信手段を備え、前記ネットワーク機器Ａは、ＴＣＰ／ＩＰ通信プロトコルの通信パラメータであるＩＰアドレス、サブネットマスク、デフォルトゲートウェイを保持し、ユーザが、情報入力手段によって、前記ネットワーク機器Ｂの機器設定インターフェースにアクセスする命令を入力した場合に、保持していたデフォルトゲートウェイを読み出し、前記ネットワーク機器Ｂの前記機器設定インターフェースにアクセスすることにより、ユーザは１回の操作で前記ネットワーク機器Ｂの機器設定インターフェースを表示することを特徴とする請求項１記載のネットワーク機器の設定方法。
【請求項４】
ネットワーク機器Ａとネットワーク機器Ｂは、ＴＣＰ／ＩＰ通信プロトコルによる通信手段を備え、前記ネットワーク機器Ａは、ＴＣＰ／ＩＰ通信プロトコルの通信パラメータであるＩＰアドレス、サブネットマスク、デフォルトゲートウェイを保持し、ユーザが、情報入力手段によって、前記ネットワーク機器Ｂの機器設定インターフェースにアクセスする命令を入力した場合に、保持していたサブネットマスクを読み出し、サブネットマスクの最下位アドレスを１に書き換えたＩＰアドレスに対して、ユーザは１回の操作で前記ネットワーク機器Ｂの機器設定インターフェースを表示することを特徴とする請求項１記載のネットワーク機器の設定方法。
【発明の詳細な説明】
【技術分野】
【０００１】
本発明は、簡単な操作で、ネットワーク機器の設定画面を表示する方法に関するものである。
【背景技術】
【０００２】
ＡＤＳＬやＣＡＴＶインターネットなどのブロードバンド回線が一般家庭に普及し始めている。図２は、ブロードバンド回線に接続された一般的な宅内ネットワークの構成を示した図である。ブロードバンドルーター２２１やＡＤＳＬモデム２３１などのホームユースのネットワーク機器は、パソコン２１１のＷｅｂブラウザ２１２からアクセス可能な設定インターフェースを採用することが一般的である。ユーザは、パソコン２１１のＷｅｂブラウザ２１２のＵＲＬ（Ｕｎｉｆｏｒｍ  Ｒｅｓｏｕｒｃｅ  Ｌｏｃａｔｏｒ）に、キーボード２１３やマウス２１４などの入力手段を用いて、ブロードバンドルーター２２１のＩＰアドレスやＤＮＳ（Ｄｏｍａｉｎ  Ｎａｍｅ  Ｓｙｓｔｅｍ）名を設定することによって、Ｗｅｂ設定ページ２２２にアクセスする。
【０００３】
ところで、近年、パソコン２１１以外にも、Ｅｔｈｅｒｎｅｔ（Ｒ）インターフェースを備え、ネットワーク接続機能を有した家電機器、いわゆるネットワーク家電機器が登場しつつある。ネットワーク家電の例としては、Ｗｅｂブラウザ２０２を搭載したネットワーク対応デジタルＴＶ２０１や、インターネットからＴＶ番組情報を取得する機能を備えたＤＶＤレコーダなどが挙げられる。今後、このようなネットワーク家電機器は、ますます増加することが予想されており、従来、パソコン２１１を中心に構成されていたホームユースのネットワークが、パソコン２１１を使わずにネットワーク家電機器のみで構成されることも考慮される必要がある。
【０００４】
ＡＤＳＬ回線２５０などのブロードバンド回線を利用するためには、ブロードバンドルーター２２１のＷｅｂ設定画面２２２にアクセスし、ＡＤＳＬ接続ＩＤ２２５やＡＤＳＬ接続パスワード２２６などの設定パラメータ２２３の変更作業が最低限必要となる。ネットワーク対応デジタルＴＶ２０１のＷｅｂブラウザ２０２を使えば、ブロードバンドルーター２２１のＷｅｂ設定ページ２２２にアクセスすることは可能であるが、しかし、テレビの一般的な入力インターフェースであるリモコン２０３を使って、Ｗｅｂ設定ページ２２２にアクセスする場合、ブロードバンドルーター２２１のＩＰアドレスを調べる手順、および、リモコン２０３を使ってＩＰアドレスをＵＲＬとして入力する手順をユーザが実行する必要があり、手順が煩雑になるという欠点があった。ネットワーク家電機器は、デジタルデバイドを解消し、パソコンよりも幅広いユーザ層にネットワーク機能を提供するという位置付けの機器であり、ブロードバンド回線を利用するために必須となるブロードバンドルーター２２１やＡＤＳＬモデム２３１などの設定手順が煩雑になることは大きな問題であった。
【特許文献１】特開２００２−３２５０７８号公報
【発明の開示】
【発明が解決しようとする課題】
【０００５】
パソコンを使わないユーザが、ネットワーク対応デジタルＴＶのみでブロードバンドルーターなどのルータ機器の設定を行なう場合、リモコンを使ってルータ機器の設定画面にアクセスするためには煩雑な手順が必要となる。具体的には、設定を行なうルータ機器のＩＰアドレスを調べる手順、および、ＩＰアドレスをＵＲＬとしてリモコン入力する手順が煩雑であるという問題があった。
【課題を解決するための手段】
【０００６】
この改善策として、ホームユースのネットワークでは、ルーター機器がＤＨＣＰサーバ機能、および、デフォルトゲートウェイを兼ねているという特徴に着目し、ネットワーク対応デジタルＴＶのソフトウェアに、以下の手段を搭載する方法がある。
【０００７】
ネットワーク機器のＩＰアドレスをＤＨＣＰプロトコルの通信シーケンスから自動取得する。
【０００８】
自動取得したＩＰアドレスをＵＲＬに自動変換し、ネットワーク対応デジタルＴＶに搭載したＷｅｂブラウザに設定する。
【０００９】
自動設定されたＵＲＬに対して、Ｗｅｂブラウザがアクセスする。
【００１０】
ブロードバンドルーターのＷｅｂ設定画面を、ネットワーク対応デジタルＴＶの画面に表示する。
【００１１】
上記の方法により、リモコンの特定のボタンを１回押すだけで、ルーター機器の設定画面をネットワーク対応デジタルＴＶに表示することが可能となる。
【発明の効果】
【００１２】
解決しようとする問題点は、パソコンを使わないユーザがネットワーク対応デジタルＴＶだけを用いて、ルーター機器の設定画面にアクセスする手順が煩雑である点である。この解決手段により、リモコンのボタンを１回押すだけで、ルーター機器の設定画面を表示することが可能となり、従来必要であった煩雑な手順を簡略化することができる。
【発明を実施するための最良の形態】
【００１３】
本発明は、パソコンを使わないユーザに対して、ルーター機器のＷｅｂ設定ページへのアクセス手段を簡単化することを最も主要な特徴とする。デジタルＴＶのリモコンを用いて、ルーター機器のＷｅｂ設定画面へのアクセスを簡単化するという目的を、ＤＨＣＰ通信プロトコルの情報を用いて、Ｗｅｂ設定ページのＵＲＬを自動生成することにより、デジタルＴＶのリモコンボタンを１回押すだけで、ルーター機器のＷｅｂ設定画面をデジタルＴＶに表示することを実現した。
【００１４】
（実施の形態１）
図１は、本発明の一実施の形態のネットワーク機器の設定画面の表示方法を示すフローチャート図である。図３は、ネットワーク対応デジタルＴＶ、および、ブロードバンドルーターの内部ブロック図であり、ネットワーク対応デジタルＴＶ３０１は、Ｅｔｈｅｒｎｅｔ（Ｒ）インターフェース３０２を介して、Ｅｔｈｅｒｎｅｔ（Ｒ）３１８に接続され、ＴＣＰ／ＩＰプロトコル処理手段３０３により、ＴＣＰ／ＩＰ通信を行う機能を有する。Ｗｅｂブラウザ処理手段３１４とＨＴＴＰプロトコル処理手段３１３により、インターネット上のＷｅｂサーバにアクセスし、一般的なＷｅｂコンテンツをＴＶ画面上に表示することが可能である。ブロードバンドルーター３１９は、Ｅｔｈｅｒｎｅｔ（Ｒ）インターフェース３２０を介して、Ｅｔｈｅｒｎｅｔ（Ｒ）３１８に接続され、ＴＣＰ／ＩＰプロトコル処理手段３２１により、ＴＣＰ／ＩＰ通信を行う機能を有する。Ｗｅｂ設定手段処理手段３２４とＨＴＴＰプロトコル処理手段３２３により、Ｗｅｂブラウザ処理手段３１４を有するクライアント機器、例えば、パソコンのＷｅｂブラウザから、ブロードバンド３１９のネットワーク設定情報記憶手段３２５に保持されたＩＰアドレス３２６やＡＤＳＬ接続ＩＤ３２７やＡＤＳＬ接続パスワード３２８を変更することが可能となる。また、ＤＨＣＰサーバープロトコル処理手段３２２により、ＤＨＣＰクライアントプロトコル処理手段３０４を有するネットワーク機器に対して、ＩＰアドレスを自動割当することが可能である。
【００１５】
ネットワーク対応デジタルＴＶ３０１のリモコン３１２により、ユーザがブロードバンドルーター３１９のネットワーク設定画面へのアクセス要求を送った場合の動作について、説明する。ブロードバンド３１９のＩＰアドレスをＤＨＣＰプロトコルの通信シーケンスから自動取得する。自動取得したＩＰアドレスをＵＲＬに自動変換し、ネットワーク対応デジタルＴＶ３０１に搭載したＷｅｂブラウザ処理手段３１４のＵＲＬ登録手段３１５に設定し、ブロードバンドルーター３１９にアクセスする。アクセスに失敗した場合は、デフォルトゲートウェイ、サブネットマスクの最下位アドレスを１に置き換えたアドレスにアクセスし、リカバリを図る。上記の方法により、リモコンの特定のボタンを１回押すだけで、ブロードバンドルーター３１９のネットワーク設定画面を表示することができる。
【産業上の利用可能性】
【００１６】
本発明のネットワーク機器の設定画面の表示方法によれば、デジタルＴＶのリモコンボタンを１回押すだけで、ルーター機器の設定画面を表示することが可能となり、そのために、今後、ネットワーク家電機器の普及が進み、パソコンのないホームネットワークが一般的になった際に有用である。
【図面の簡単な説明】
【００１７】
【図１】ネットワーク機器の設定画面の表示方法を示したフローチャート
【図２】本手法が適用できるユーザ宅内ネットワークの構成図
【図３】ネットワーク対応デジタルＴＶ、および、ブロードバンドルーターの内部ブロック図
【符号の説明】
【００１８】
２００    ユーザ宅内ネットワーク
２０１    ネットワーク対応デジタルＴＶ
２０２    Ｗｅｂブラウザ
２０３    リモコン
２１１    パソコン
２１２    Ｗｅｂブラウザ
２１３    キーボード
２１４    マウス
２２１    ブロードバンドルーター
２２２    Ｗｅｂ設定画面
２２３    設定パラメータ
２２４    ＩＰアドレス
２２５    ＡＤＳＬ接続ＩＤ
２２６    ＡＤＳＬ接続パスワード
２３１    ＡＤＳＬモデム
２４１    Ｅｔｈｅｒｎｅｔ（Ｒ）
２５０    ＡＤＳＬ回線
２６０    インターネット
２７０    Ｗｅｂサーバー
３０１    ネットワーク対応デジタルＴＶ
３０２    Ｅｔｈｅｒｎｅｔ（Ｒ）インターフェース
３０３    ＴＣＰ／ＩＰプロトコル処理手段
３０４    ＤＨＣＰクライアントプロトコル処理手段
３０５    ネットワーク情報記憶手段
３０６    ＩＰアドレス
３０７    サブネットマスク
３０８    デフォルトゲートウェイ
３０９    プライマリＤＮＳサーバー
３１０    セカンダリＤＮＳサーバー
３１１    リモコン入力受信手段
３１２    リモコン
３１３    ＨＴＴＰプロトコル処理手段
３１４    Ｗｅｂブラウザ処理手段
３１５    ＵＲＬ登録手段
３１６    ネットワーク設定アクセス手段管理手段
３１７    ルーターＩＰアドレス管理手段
３１８    Ｅｔｈｅｒｎｅｔ（Ｒ）
３１９    ブロードバンドルーター
３２０    Ｅｔｈｅｒｎｅｔ（Ｒ）インターフェース
３２１    ＴＣＰ／ＩＰプロトコル処理手段
３２２    ＤＨＣＰサーバープロトコル処理手段
３２３    ＨＴＴＰプロトコル処理手段
３２４    Ｗｅｂ設定手段処理手段
３２５    ネットワーク設定情報記憶手段
３２６    ＩＰアドレス
３２７    ＡＤＳＬ接続ＩＤ
３２８    ＡＤＳＬ接続パスワード
【図１】
2005130334.tif 000003
【図２】
2005130334.tif 000004
【図３】
2005130334.tif 000005